(57)【要約】      （修正有）【課題】衣服のボタンやボタン孔に簡単に装着して、襟元等を装飾する装身具を提供する。【解決手段】前面に装飾が施された装飾部材２と、この装飾部材２の背面に設けられたボタン又はボタン孔に装着する係止片４とを備える。係止片４は、背面に一端が固設されて水平方向に突出する支持部３ａと、支持部３ａの先端より折曲して下方に垂下する垂直部３ｂとで鉤状に形成され、垂直部３ｂが二股に形成される。支持部３ａと垂直部３ｂでボタンの上部外周を跨ぐように係止片４をボタンに係合して位置させることにより、または係止片４をボタン孔に挿入し係止して位置させることにより、装飾部材２をボタンまたはボタン孔に装着する。【選択図】図２
0003151938.tif 000002
【実用新案登録請求の範囲】
【請求項１】
衣服の合わせ目を開閉可能に係止するために、この合わせ目に設けられたボタン又はボタン孔に装着して装飾する装身具であって、
前面に装飾が施された装飾部材と、この装飾部材の背面に設けられたボタン又はボタン孔に装着する係止片とを備え、
係止片は、背面に一端が固設されて水平方向に突出する支持部と、この支持部の先端より折曲して下方に垂下する垂直部とで鉤状に形成され、この垂直部が二股に形成されており、
前記支持部と垂下部で前記ボタンの上部外周を跨ぐように前記係止片を前記ボタンに係合して位置させることにより、または前記係止片を前記ボタン孔に挿入し係止して位置させることにより、
前記装飾部材を前記ボタンまたはボタン孔に装着することを特徴とする装身具。
【請求項２】
前記係止片は、二股状の垂直部が支持部に対し所定の摩擦抵抗を以て回動可能に支持されていることを特徴とする請求項１記載の装身具。
【請求項３】
衣服の合わせ目を開閉可能に係止するためにこの合わせ目に設けられたボタン又はボタン孔に装着して装飾する装身具であって、
前面に装飾が施され、背面に係止部を有する装飾部材と
前面に前記装飾部材の係止部が着脱可能な被保持部を備え、背面に衣服のボタン又はボタン孔に装着可能な係止片を備える支承部材と、より成り、
係止片によりボタン又はボタン孔に取り付けた支承部材に、装飾部材を、該支承部材の被保持部に係止部を係止させて取り付けることによって衣服に装着可能なことを特徴とする装身具。
【請求項４】
前記装飾部材の係止部は、鉤状の挿入片であり、前記支承部材の被保持部は、保持孔を備え、装飾部材は、保持孔に係止部の挿入片を挿着して支承部材に取り付けることを特徴とする請求項３記載の装身具。
【請求項５】
前記支承部材の係止片は、一端が支承部材の背面に固設されて水平方向に突出する支持部と、この支持部の先端より折曲して下方に垂下する垂直部とで鉤状に形成され、この垂直部が二股状に形成されていることを特徴とする請求項３記載の装身具。
【請求項６】
前記係止片は、二股状の垂直部が支持部に対し所定の摩擦抵抗を以て回動可能に支持されていることを特徴とする請求項５記載の装身具。
【考案の詳細な説明】
【技術分野】
【０００１】
本考案は、衣服の合わせ目を開閉可能に係止するボタンやボタン孔に挿着して装飾する装身具、特に、ワイシャツ等の襟元のボタンやボタン孔に挿着して襟元を装飾するのに好適な装身具に関する。
【背景技術】
【０００２】
ワイシャツなどの衣服などの合わせ目を開閉可能に係止するのに、ボタンが用いられている。このボタンは、合わせ目となる一方の身ごろに縫糸やリベットなどにより取り付けられ、他方、前立ての所定（対応）位置に設けられたボタン孔に対し、指操作によって着脱（係止及び係止解除）可能となっている。
【０００３】
ところで、ネクタイをつけた時はともかくノーネクタイの際のワイシャツ等の襟元は、ボタンだけであり、装飾性に乏しいものである。特に、暑い夏季はクールビズの採用によってワイシャツのノーネクタイが多くなる。従って、男性でもノーネクタイの時などは、装飾性の向上、オシャレ気分および気分転換にワイシャツの襟元を装飾したいことがある。
【０００４】
そこで従来、シャツ等のデザイン変更のために、ボタン本来の機能を残したままボタンに装飾性を付与するものが、例えば特許文献１に示されている。この特許文献１に記載のボタンは、固い材質のボタン基板に、複数本の筋割（細長い切溝）を持った弾性に富む材質からなる装飾部材を載せ、この装飾部材を指で押し潰すように操作することで、組立ボタンとするものである。ここでは、その装飾部材の内縁を拡大させることで、その内縁をボタン基板の外周に係合させ、続いて前記押し潰し力を解除することで、その装飾部材をボタン基板に対して装飾部材の弾性を利用して一体結合させ、組み合わせボタンとしている。
【先行技術文献】
【特許文献】
【０００５】
【特許文献１】特開平１０−１１３２０４号公報
【考案の概要】
【考案が解決しようとする課題】
【０００６】
しかしながら、かかる従来の組立ボタンは、衣類の合わせ目を開閉するボタン自体を構成し、広く市販されているシャツに着けられているボタンに着脱可能に取り付けられるものではなく、汎用性に欠ける。つまり、シャツ等の縫製段階でかかる特殊形態のボタン基板を取り付けておかねばならず、既存のシャツに縫着されているボタンに装着できるものではない。
【０００７】
また、ボタンのデザインの変更のために、ボタン基板に装飾部材を組み立てるたびに、ボタン基板に大きな摩擦力や押圧力が作用するため、その装飾部材の弾力性が劣化することによって、前記装飾部材の組み付けが不可能となり、結果としてこのボタンの寿命は短いものとなる。
【０００８】
さらに、ワイシャツなどの衣服のボタンを交換して装飾性を変えることも考えられるが、かかるボタンの交換は、縫糸が緩むこと等によりボタンが脱落して紛失した場合等以外には一般的に行われない。またシャツのデザイン変更のためであっても、ボタンの取り外しと再取り付けのための作業は極めて煩わしいため、頻繁に行われることはない。
【０００９】
本考案は、このような点に鑑みなされたものであり、その目的は、既存の衣服、例えばワイシャツのボタンやボタン孔に簡単に装着して、襟元等を装飾する装身具を提供することにあり、また、既存のシャツに付属したボタンに簡単に装着可能であり、この装着を装飾部材等の磨耗や損傷を招くことなく、半永久的に使用することができる装身具を提供することにある。
【課題を解決するための手段】
【００１０】
前記目的を達成するために、本考案に係る装身具は、衣服の合わせ目を開閉可能に係止するために、この合わせ目に設けられたボタン又はボタン孔に装着して装飾する装飾具であって、
前面に装飾が施された装飾部材と、この装飾部材の背面に設けられたボタン又はボタン孔に装着する係止片とを備え、
係止片は、背面に一端が固設されて水平方向に突出する支持部と、この支持部の先端より折曲して下方に垂下する垂直部とで鉤状に形成され、この垂直部が二股に形成されており、
前記支持部と垂下部で前記ボタンの上部外周を跨ぐように前記係止片を前記ボタンに係合して位置させることにより、または前記係止片を前記ボタン孔に挿入し係止して位置させることにより、前記装飾部材を前記ボタンまたはボタン孔に装着することを特徴とする。
【００１１】
この構成により、装身具は、装飾部材の係止片の支持部と垂下部でボタンの上部外周を跨ぐように係止片をボタンに係合してボタンの背面側に差し込み、ボタンに装着することができ、または係止片をボタン孔に挿入し係止させて装着することができる。これにより装身具の装飾部材は、ボタン又はボタン孔に対し、簡単かつ確実に、つまり簡単に脱落しないように装着保持させることができる。
【００１２】
また、本考案に係る装身具の前記係止片は、二股状の垂直部が支持部に対し所定の摩擦抵抗を以て回動可能に支持されていることを特徴とする。
【００１３】
この構成により、装飾部材の二股状の係止片を、垂直方向に回動操作した上で、シャツ等のボタンの裏側に差し入れるだけで、その二股状の各係止片をボタンの縫合部分に跨がせて、ボタンの裏側から係止片と装飾部材との間にそのボタンを挟むようにすることができる。また、ボタン孔には垂直部を回動して水平状態にしてボタン孔に挿入してから、垂直方向に回動することによって装着が可能となるので、装着が一層容易となる。これにより、装飾部材はそのボタン又はボタン孔に対し、簡単かつ確実に、つまり簡単に脱落しないように装着保持させることができる。
【００１４】
また、本考案に係る装身具は、衣服の合わせ目を開閉可能に係止するためにこの合わせ目に設けられたボタン又はボタン孔に装着して装飾する装身具であって、
前面に装飾が施され、背面に係止部を有する装飾部材と
前面に前記装飾部材の係止部が着脱可能な被保持部を備え、背面に衣服のボタン又はボタン孔に装着可能な係止片を備える支承部材と、より成り、
係止片によりボタン又はボタン孔に取り付けた支承部材に、装飾部材を、該支承部材の被保持部に係止部を係止させて取り付けることによって衣服に装着可能なことを特徴とする。
【００１５】
この構成により支承部材は、係止片によりボタン又はボタン孔に取り付けることでシャツに装着でき、装飾部材はこのシャツに取り付けた支承部材に取り付けることができる。これにより装飾部材と支承部材とより成る装身具をシャツのボタン又はボタン孔に装着することができる。即ち、この装身具は装飾部材とシャツ（ボタン又はボタン孔を介して）に取り付け可能な支承部材とが、分離・結合可能に構成されており、シャツのボタン又はボタン孔には支承部材を取り付け、この支承部材に装飾部材を取り付けることによってシャツに装着保持させることができる。
【００１６】
また、本考案に係る装身具の前記装飾部材の係止部は、鉤状の挿入片であり、前記支承部材の被保持部は、保持孔を備え、装飾部材は、保持孔に係止部の挿入片を挿着して支承部材に取り付けることを特徴とする。
この構成により装飾部材は、挿入片を支承部材の保持孔に挿入するだけで、容易に支承部材に取り付けることができる。従って、支承部材への着脱は容易となる。
【００１７】
また、本考案に係る装身具の前記支承部材の係止片は、一端が支承部材の背面に固設されて水平方向に突出する支持部と、この支持部の先端より折曲して下方に垂下する垂直部とで鉤状に形成され、この垂直部が二股状に形成されていることを特徴とする。
【００１８】
この構成により支承部材は、係止片の支持部と垂下部でボタンの上部外周を跨ぐように係止片をボタンの裏側に差し込みボタンに係合して装着することができ、この時二股状の垂下部は、二股の間にボタンの縫い付けの糸を位置させることができ、または係止片をボタン孔に挿入して係止させ装着することができる。従って、支承部材は、ボタン又はボタン孔に対し簡単で確実に装着することができる。
【００１９】
さらに、本考案に係る装身具の支承部材の前記係止片は、二股状の垂直部が支持部に対し所定の摩擦抵抗を以て回動可能に支持されていることを特徴とする。
【００２０】
この構成により、支承部材の二股状の係止片を、垂直方向に回動操作した上で、シャツ等のボタンの裏側に差し入れるだけで、二股状の部分がボタンの縫合部分に跨り、ボタンに係合し装着できる。また、ボタン孔には、垂直部を回動して水平状態にしてボタン孔に挿入してから、垂直方向に回動することによって装着できる。これにより装着が一層容易となる。
【考案の効果】
【００２１】
本考案の装身具によれば、装身具をシャツ等の衣服のボタン又はボタン孔に対し簡単、迅速に取り付けて装飾することができる。従って、ノーネクタイ時のシャツの襟元等を装飾して、装飾性の向上やオシャレをすることができる。
また、本考案の装身具は、衣服、例えばシャツなどのボタンを交換することなく、ボタンに取り付けてボタンの装飾性を変えることができる。
【図面の簡単な説明】
【００２２】
【図１】本考案の第１の実施形態を示す装身具を背面側から見た斜視図である。
【図２】本考案の第２の実施形態を示す装身具を背面側から見た斜視図である。
【図３】図２に示す装身具を一部破断して示す側面図である。
【図４】図２に示す装身具の使用例を示す側面図である。
【図５】本考案の第３の実施形態を示す装身具を背面側から見た斜視図である。
【図６】図５に示す装身具の使用状態の断面図である。
【図７】装身具を襟を開いたシャツのボタンに取り付けた使用状態を示す正面説明図である。
【図８】装身具を襟を閉じたシャツのボタンに取り付けた使用状態を示す正面説明図である。
【図９】装身具を襟を開いたシャツのボタン孔に取り付けた使用状態を示す正面説明図である。
【考案を実施するための最良の形態】
【００２３】
以下、本考案の実施の形態による装身具を、図面を参照しながら説明する。図１は、本考案の第１の実施形態を示す装身具を背面側から見た斜視図、図２は、本考案の第２の実施形態を示す装身具を背面側から見た斜視図、図３は、図２に示す装身具を一部破断して示す側面図、図４は、図２に示す装身具の使用例を示す側面図、図５は、本考案の第３の実施形態を示す装身具を背面側から見た斜視図、図６は、図５に示す装身具の使用状態の断面図、図７は、装身具を襟を開いたシャツのボタンに取り付けた使用状態を示す正面説明図、図８は、装身具を襟を閉じたシャツのボタンに取り付けた使用状態を示す正面説明図、図９は、装身具を襟を開いたシャツのボタン孔に取り付けた使用状態を示す正面説明図である。
【００２４】
本考案は、衣服の合わせ目を開閉可能に係止するために、この合わせ目に取り付けられたボタン又はボタン孔に装着して装飾する装身具である。
図１に示す第１の実施形態の装身具１Ａは、前面に装飾が施された装飾部材２と、この装飾部材２の背面に固設されたボタン又はボタン孔に装着する係止片４と、を備えて構成されている。
装飾部材２は、基材としての、例えば図示のような矩型状またはハート型の支持板２ａの片面（前面）に宝飾等を含む様々な装飾処理、加工を施した装飾面２ｂを持つ。支持板２ａには、プレスにより得られる金属板にメッキ処理などによって表面に光沢やその他の意匠を施したもの、合成樹脂の成形品に吹き付け、蒸着、塗装、メッキ処理などによって表面に光沢やその他の意匠を施したもの、などが用いられる。本例では、その支持板２ａの表面に宝飾の装飾面２ｂが設けられている。この宝飾としては、貴石やガラス等で加工したものを例示できる。
【００２５】
係止片４は、装飾部材２の背面に一端が固設されて水平方向に突出する支持部３ａと、その先端より折曲して下方に垂下する垂直部３ｂとで鉤状に形成され、この垂直部３ｂが、片４ａ、４ａで二股状に形成されている。この係止片４は、前記支持部３ａと垂下部３ｂとでボタン８の上部外周を跨ぐように係止片４をボタン８に係合して取り付ける。この時、係止片４の垂下部３ｂは、片４ａと４ａ間にボタン８を縫い付けた縫糸部９を位置させてボタン８の裏側に差し込まれる。
従って、支持部３ａの長さは、装飾部材２の背面と垂下部３ｂとの間に、ボタン８を収容できる間隔が形成できる長さであればよい。
【００２６】
係止片４は、装飾部材２を形成する支持板２ａの背面略中央部付近に、溶接、接着あるいは一体成形により固設されている。この係止片４は、支持板２ａと同一の素材でも、別素材でもよい。本例では係止片４は、支持板２ａと同一の素材、例えば金属材料または樹脂材料から成り、支持板２ａと一体成形により形成されている。この係止片４は、装飾部材２の重量を支えるのに十分な強度となる太さ（断面積）、材質で形成される。なお、必要に応じて、係止片４の垂下部３ｂには、ボタン８の外周面に沿った湾曲状の凹部を設けてもよい。
【００２７】
また、前記では装身具１Ａを、ボタン８に装着する場合で説明したが、装身具１Ａは、ボタン８を外したボタン孔に、係止片４を挿入して取り付けて使用することも可能である。
【００２８】
図２乃至図４は、本考案の第２の実施形態の装身具１Ｂを示す。この第２の実施形態に示す装身具１Ｂは、係止片４の二股状の垂直部３ｂが、支持部３ａに対し所定の摩擦抵抗を以て回動可能に支持されているものであり、他は前記第１の実施形態と同様であるので、同様な構成要素には、同一符号を付して説明する。
【００２９】
図２乃至図４において、装身具１Ｂは、前面に装飾が施された装飾部材２と、この装飾部材２の背面に固設されたボタン又はボタン孔に装着する係止片４と、を備えて構成されている。係止片４は、装飾部材２の背面に一端が固設されて水平方向に突出する支持部３ａと、この支持部３ａの先端に回動可能に枢着されて下方に垂下する垂直部３ｂとで形成され、垂直部３ｂは２片４ａ、４ａで二股状に形成されている。
【００３０】
支持部３ａは、装飾部材２を形成する支持板２ａの背面略中央部付近に、溶接、接着あるいは一体成形により固設されている。この支持部３ａは、支持板２ａと同一の素材でも、別素材でもよい。本例では支持部３ａは、支持板２ａと同一の素材、例えば金属材料または樹脂材料から成り、支持板２ａと一体成形により形成されている。この支持部３ａは、装飾部材２の重量を支えるのに十分な強度となる太さ（断面積）、材質で形成される。
【００３１】
支持部３ａの先端には、軸５を介して二股状の垂下部３ｂが回動自在に取り付けられている。軸５は支持部３ａの左右両側に突出するように設けられている。垂下部３ｂは、本例では略Ｕ字状をなし、その中央部付近に凹部６が形成されている。
前記凹部６には、支持部３ａの先端部が介在されて、軸５の両端部が、その凹部６の対向する側壁面に形成された各支持孔（図示省略）に挿入されている。従って、垂直部３ｂは軸５の周りに回動自在に支持され、図２に示すように、垂直方向の位置から鎖線で示すような水平方向の位置への回動操作が可能である。
【００３２】
この場合において、この回動にはある程度の摩擦抵抗を伴うことが望ましく、これにより装飾部材２が後述のシャツのボタンから容易に脱落しないように、このボタンに対し係止保持させることができる。二股状の垂直部３ｂは、互いに対向する２片４ａ、４ａがボタンの縫糸部９を跨ぐことができるサイズとされる。
【００３３】
かかる構成の装身具１Ｂは前述のように構成され、これをシャツのボタンに取り付ける場合には、図２に示すように係止片４を鎖線で示す水平方向から実線で示す垂直方向の位置に回動させる。そして図３に示すようなシャツ７の見ごろに縫い付けられたボタン８の上方を支持部３ａと垂直部３ｂとで跨ぐようにして、その係止片４をボタン８とシャツ７との間に差し入れる。このとき、その係止片４の垂直部３ｂの２片４ａ、４ａが縫糸部９を跨ぐようにする。
【００３４】
これにより、係止片４はシャツ７の身ごろとボタン８との間において自由に抜け落ちないように係止保持される。従って、装飾部材２はボタン８の前面に位置して、このボタン８の前面を覆い、シャツ７を装飾することとなる。この装身具１Ｂのボタン８への取付状態は、図３によく示されている。なお、この装身具１Ｂのボタン８からの取り外しは、前記とは逆の手順で容易に実施可能である。また、このような装飾部材２のボタンに対する装着時や取り外し時の作業は前記のように単純であり、、大きな押圧力や面倒な作業を要しない。従って、ボタンに対する装飾部材２の交換を簡単、迅速に行えるというメリットガ得られる。
【００３５】
また、装身具１Ｂは、図４に示すようにボタン８を外したボタン孔１０に、係止片４の垂直部３ｂを挿入し、シャツ７に取り付けることも可能である。
【００３６】
図５及び図６は、本考案の第３の実施形態の装身具１Ｃを示す。この第３の実施形態に示す装身具１Ｃは、背面に係止部１１を有する装飾部材２と、ボタン８又はボタン孔に着脱可能に取り付ける支承部材１２と、を備える。支承部材１２は、表面（前面）側に装飾部材２の係止部１１が着脱可能に装着できる被保持部１３が設けられ、裏面（背面）側に係止片４が設けられている。ここで表面（前面）側とは、シャツのボタン８又はボタン孔に装着したとき前面側（シャツとは反対側）に位置する面を指し、裏面（背面）側とはシャツのボタン８又はボタン孔に装着したとき、シャツ側に位置する面を指す。
【００３７】
装飾部材２の係止部１１は、板体で鉤状の挿入片に形成され、支承部材１２の被保持部１３は、前記係止部１１が挿入される保持孔１３ａを備えており、装飾部材２は、係止部１１を支承部材１２の被保持部１３の保持孔１３ａに挿入することによって係止され、支承部材１２に取り付けることができる。支承部材１２の係止片４の構成は、前記第２の実施形態と同様であるので、同様な構成要素には同一符号を付して詳細な説明は省略する。
従って、この第３の実施形態の装身具１Ｃは、装飾部材２とシャツ７への取り付け可能な支承部材１２が分離されており、シャツ７のボタン８またはボタン孔１０には支承部材１２を取り付け、この支承部材１２に装飾部材２を取り付けることによってシャツ７に装着するものである。
【００３８】
即ち、支承部材１２は、図６に示すように係止片を鎖線で示す水平方向から実線で示す垂直方向の位置に回動させ、シャツ７に縫い付けられたボタン８の上方から支持部３ａと垂直部３ｂとでボタン８を跨ぐようにして、その係止片４をボタン８とシャツ７の間に差し入れることによって装着する。この時、その係止片４の２片４ａ、４ａが縫糸部９を跨ぐようにする。これにより支承部材１２は、係止片４がボタン８に自由に抜け落ちないように係止保持されることによってシャツ７に取り付けられる。
そこで、装飾部材２の係止部１１を支承部材１２の被保持部１３の保持孔１３ａに挿入することによって、装飾部材２をシャツ７に取り付けられた支承部材１２に取り付ける。これにより装身具１Ｃは、シャツ７に装着することができる。
【００３９】
この第３の実施形態では、装飾部材２および支承部材１２がそれぞれ独立して形成され、分離および結合が自在であるため、好みに応じ、あるいはシャツに合わせ、意匠の異なる装飾部材２を選択して取り替え使用することができる。
なお、前記においては、装飾部材２をボタン８に装着する場合を示したが、装飾部材２を取り付ける支承部材１２は、回動可能な係止片４を持つため、その係止片４を、例えば、図４に示すと同様に水平状態の係止片４をシャツ７のボタン孔１０に差し込んで垂直方向へ回動操作することで、ボタン孔１０に係止させることも可能である。この場合には、装飾部材２によってボタン孔１０が外部に露出するのを回避できると共に、装飾効果を得ることができる。
【００４０】
図７は、装身具１Ａ、１Ｂあるいは１Ｃを、襟を開いたシャツ７のボタン８に取り付けた使用状態を示し、図８は、装身具１Ａ、１Ｂあるいは１Ｃを、襟を閉じたシャツ７のボタン８に取り付けた使用状態を示し、図９は、装身具１Ａ、１Ｂあるいは１Ｃを襟を開いたシャツ７のボタン孔に取り付けた使用状態を示している。
【００４１】
このように、本実施形態では、装飾部材２の前面に装飾を施し、この装飾部材２の背面に係止片４を設け、係止片４の支持部３ａと垂直部３ｂとでボタン８の上部外周を跨ぐように係止片４をボタン８の背面側に差し込み位置させることにより、または、係止片４をボタン孔１０に挿入し係止させて位置させることにより、装身具１Ａ、１Ｂ、１Ｃをボタン８またはボタン孔１０に装着可能に構成した。
従って、前記二股状の係止片４をシャツ７のボタン８の裏側に差し入れるだけで、その二股状の各係止片４をボタン８の縫合部分を跨がせて、ボタン８の裏側から係止片４と装飾部材２との間にそのボタン８を挟ませることができる。これにより、装飾部材２はそのボタン８に対し、簡単かつ確実に、脱落しないように装着保持させることが可能になる。また、係止片４をボタン孔１０に挿入し係止させることで、装飾部材２はシャツ７に簡単かつ確実に、脱落しないように装着保持させることができる。
【００４２】
また、本実施形態では、装飾部材２とシャツ７への取り付け可能な支承部材１２が、分離・結合可能に構成されており、シャツ７のボタン８またはボタン孔１０には支承部材１２を取り付け、この支承部材１２に装飾部材２を取り付けることによってシャツ７に装着保持させることができる。
【産業上の利用可能性】
【００４３】
本考案の装飾具は既存のシャツに付属したボタンまたはボタン孔に装着可能であり、この装着を装飾部材等の磨耗や損傷を招くことなく、簡単かつ迅速に行うことができるという効果を有し、衣類の合わせ目を開閉するボタンやボタン孔に装着して装飾する装身具等に有用である。
【符号の説明】
【００４４】
１Ａ、１Ｂ、１Ｃ  装身具
２  装飾部材
３ａ  支持部
３ｂ  垂直部
４  係止片
４ａ  片
５  軸
７  シャツ
８  ボタン
９  縫糸部
１０  ボタン孔
１１  係止部
１２  支承部材
１３  被保持部
１３ａ  保持孔
【図１】
0003151938.tif 000003
【図２】
0003151938.tif 000004
【図３】
0003151938.tif 000005
【図４】
0003151938.tif 000006
【図５】
0003151938.tif 000007
【図６】
0003151938.tif 000008
【図７】
0003151938.tif 000009
【図８】
0003151938.tif 000010
【図９】
0003151938.tif 000011